(57)【要約】【課題】遠隔制御装置に監視用表示装置が表示する制御情報の場所を変更することなく、また、システム全体を変更することなく保存容量が変更できる遠隔制御システムを提供する。【解決手段】電力消費機器Ｂｎと、エネルギー計測機器Ｃｎと、電力消費機器Ｂｎとエネルギー計測機器Ｃｎの通信データを変換するインターフェースユニットＤと、インターフェースユニットＤを介し電力消費機器Ｂｎの状態データやエネルギー計測機器Ｃｎの制御情報を受信する通信手段１と制御情報を保存する保存装置２と保存装置２に定期的に制御情報を保存する保存制御手段３と保存装置２の制御情報を消去する消去制御手段４と外部保存装置Ｆを検出する外部保存装置検出手段６とからなるインターネット網Ｅに接続する遠隔制御装置Ｇであって、制御情報が増加した場合に保存制御手段３により保存先を切り替える。【選択図】図１
2006162212.tif 000002
【特許請求の範囲】
【請求項１】
複数台の電力消費機器と、複数のエネルギー計測機器と、前記電力消費機器と前記エネルギー計測機器の通信データを変換するインターフェースユニットと、前記インターフェースユニットを介し前記電力消費機器の状態データおよび前記エネルギー計測機器の制御情報を受信する通信手段と、制御情報を保存する保存装置と、前記保存装置に定期的に制御情報を保存する保存制御手段と、前記保存装置の制御情報を消去する消去制御手段と、インターネット網に接続された外部保存装置を検出する外部保存装置検出手段とからなるインターネット網に接続する遠隔制御装置と、インターネット網を介し前記遠隔制御装置に保存されている制御情報を表示する監視用表示手段と監視用入力手段とからなる監視装置を備え、前記保存制御手段は、前記監視用表示装置が表示する制御情報の場所を変更することなく、前記外部保存装置検出手段の出力により前記外部保存装置に制御情報の保存先を切り替えることを特徴とする遠隔制御システム。
【請求項２】
消去手段は、外部保存装置の容量によって制御情報の保存期間を決定し、保存期間を過ぎた制御情報を消去する事を特徴とする、請求項１記載の遠隔制御システム。
【請求項３】
外部保存装置検出手段は、外部保存装置が検出された場合に保存装置に保存の制御情報を前記外部保存装置に移動することを特徴とする、請求項１〜２のいずれかに記載の遠隔制御システム。
【請求項４】
監視用表示装置は、外部保存装置検出手段の出力により外部保存装置の接続状態を表示する事を特徴とする、請求項１〜３のいずれかに記載の遠隔制御システム。
【請求項５】
監視入力手段を制御情報の保存期間が入力できるものとしたことを特徴とする、請求項１〜４のいずれかに記載の遠隔制御システム。
【発明の詳細な説明】
【技術分野】
【０００１】
本発明は機器の遠隔制御システムに関するものである。
【背景技術】
【０００２】
従来、この種の遠隔制御システムでは、例えば図２に記載された空調管理システムがあった（例えば、特許文献１参照）。
【０００３】
図２において、各空気調和機１０４を運転制御し監視するビル中央監視盤１０１と、ビル中央監視盤１０１から出される制御指令と制御情報を記憶する記憶装置１０７と各空気調和機１０４の運転状態を示す情報を中継する集中制御装置１０２とを備える空調管理システムであって、ビル中央監視盤１０１および中央制御装置１０２のそれぞれに各空気調和機１０４への制御情報を入力する入出力手段１０５と、各空気調和機１０４からの運転状態情報を表示する表示手段１０６とを設け、更に集中制御装置１０２にはビル中央監視盤１０１および集中制御装置１０２何れかの入力手段１０５から入力される最新の指令を各空気調和機１０４へ送信するゲートウェイから構成されている。
【特許文献１】特開平６−２４１５４４号公報
【発明の開示】
【発明が解決しようとする課題】
【０００４】
しかしながら、上記従来の構成では、保存装置の容量が決められており、制御情報の増加による保存容量を変更する場合システム全体を変更しなければならないという課題を有していた。
【０００５】
本発明は、前記従来の課題を解決するもので、システム全体を変更することなく保存容量が変更できる遠隔制御システムを提供することを目的とする。
【課題を解決するための手段】
【０００６】
前記従来の課題を解決するために、本発明の遠隔制御システムは、遠隔制御装置に監視用表示装置が表示する制御情報の場所を変更することなく、外部保存装置検出手段の出力により外部保存装置に制御情報の保存先を切り替える保存制手段を設けたものである。
このことにより、システム全体を変更することなく保存容量が変更できる遠隔制御システムを提供することを目的とする。
【発明の効果】
【０００７】
本発明の遠隔制御システムは、制御情報が増加した場合に保存制御手段により保存先を切り替えることによりシステムを変更することなく保存容量を変更することができる。
【発明を実施するための最良の形態】
【０００８】
第１の発明は、複数台の電力消費機器と、複数のエネルギー計測機器と、前記電力消費機器と前記エネルギー計測機器の通信データを変換するインターフェースユニットと、前記インターフェースユニットを介し前記電力消費機器の状態データや前記エネルギー計測機器の制御情報を受信する通信手段と制御情報を保存する保存装置と前記保存装置に定期的に制御情報を保存する保存制御手段と前記保存装置の制御情報を消去する消去制御手段とインターネット網に接続された外部保存装置を検出する外部保存装置検出手段とからなるインターネット網に接続する遠隔制御装置と、インターネット網を介し前記遠隔制御装置に保存されている制御情報を表示する監視用表示手段と監視用入力手段とからなる監視装置を備え、前記保存制御手段は、前記監視用表示装置が表示する制御情報の場所を変更
することなく、前記外部保存装置検出手段の出力により前記外部保存装置に制御情報の保存先を切り替えることにより、システムを変更することなく、制御情報が増加した場合の保存容量を変更することができる。
【０００９】
第２の発明は、特に、第１の発明の消去制御手段を外部保存装置の容量によって制御情報の保存期間を決定し、保存期間を過ぎた制御情報を消去することにより、保存容量を超過することなく最新の制御情報を保存する事ができる。
【００１０】
第３の発明は、特に、第１または第２の発明の外部保存装置接続手段を、外部保存装置が接続された場合に保存装置に保存の制御情報を前記外部保存装置に移動することにより、保存先を切り替えた場合に既存の保存データを利用する事ができる。
【００１１】
第４の発明は、特に、第１〜３のいずれかひとつの発明の監視用表示装置を外部保存装置接続手段の出力により外部保存装置の接続状態を表示することにより、遠隔地にある遠隔制御装置の外部保存装置の接続状態がわかり、メンテナンスを容易に実施する事ができる。
【００１２】
第５の発明は、特に、第１〜４いずれかひとつの発明の監視入力手段を制御情報の保存期間が入力できるものとしたことにより、保存期間を限定する事ができ、制御情報の管理を容易にする事ができる。
【００１３】
（実施の形態１）
図１は本発明の第１の実施の形態における遠隔制御システムのブロック図を示すものである。
【００１４】
図１において、遠隔制御システムＡは、複数台の電力消費機器Ｂ１〜Ｂｎと、複数のエネルギー計測機器Ｃ１〜Ｃｎと、電力消費機器Ｂ１〜Ｂｎとエネルギー計測機器Ｃ１〜Ｃｎの通信データを変換するインターフェースユニットＤと、インターフェースユニットＤを介し電力消費機器Ｂ１〜Ｂｎの状態データおよびエネルギー計測機器Ｃ１〜Ｃｎの制御情報を受信する通信手段１と、制御情報を保存する保存装置２と、保存装置２に定期的に制御情報を保存する保存制御手段３と、保存装置２の制御情報を消去する消去制御手段４と、インターネット網Ｅに接続される外部保存装置Ｆを検出する外部保存装置検出手段６とからなるインターネット網Ｅに接続する遠隔制御装置Ｇと、インターネット網Ｅを介し遠隔制御装置Ｇに保存されている制御情報を表示する監視用表示手段７と監視用入力手段８とからなる監視装置Ｈである。
【００１５】
以上のように構成された遠隔制御システムについて、以下その動作、作用について説明する。
【００１６】
まず、保存装置２は遠隔制御装置Ｇ内部に配置される読み書き可能な不揮発性メモリである。また、外部保存装置Ｆは、接続通知手段９と大容量記憶装置１０とからなり、インターネット網Ｅを介してデータの読み書きができるものである。
【００１７】
また、大容量記憶装置１０は、たとえばハードディスクである。
【００１８】
外部保存装置Ｆは、インターネット網Ｅに接続されると接続通知手段９により、接続されたことをインターネット網Ｅに通知する。
【００１９】
外部保存装置検出手段６は、インターネット網に接続通知手段９により通知されたことを検出すると外部保存装置Ｆの接続信号を発する。
【００２０】
遠隔制御装置Ｇは一定時間毎に通信手段１により、インターフェースユニットＤを介し、電力消費機器Ｂ１〜Ｂｎの状態データやエネルギー計測機器Ｃ１〜Ｃｎの計測データなどの制御情報を受信する。
【００２１】
受信した制御情報は保存制御手段３によって外部保存装置検出手段６から外部保存装置Ｆの接続信号があればインターネット網Ｅを介し外部保存装置Ｆに保存され、接続信号がなければ保存装置２に保存される。
【００２２】
制御情報は一定時間毎に新しい情報として保存される。消去手段４は一定時間毎に保存制御手段３を介して制御情報の一部を消去する。
【００２３】
このとき、保存制御手段３は、外部保存装置検出手段６から外部保存装置Ｆの接続信号があれば外部保存装置５の制御情報を、接続信号がなければ保存装置２の制御情報を消去する。
【００２４】
次に、遠隔地の制御情報管理者は、保存されている制御情報をインターネット網Ｅを介し監視用表示手段７に表示させ、電力消費機器Ｂやエネルギー計測機器Ｃの状態を監視する。表示される制御情報は、保存制御装置３により外部保存装置検出手段６から外部保存装置５の接続信号があれば外部保存装置５の制御情報、接続信号がなければ保存装置２の制御情報が選択される。
【００２５】
以上のように本実施の形態における遠隔制御システムは、電力消費機器Ｂやエネルギー計測機器Ｃの接続台数が増えることで制御情報が増加しても、外部保存装置を接続する事により、システムを変更せず制御情報の保存容量を増やす事ができる。
【００２６】
また、消去手段４は保存制御手段３を介して、外部保存装置検出手段６から外部保存装置５の接続信号があれば外部保存装置５の容量、接続信号がなければ保存装置２の容量により、制御情報を消去する時期を決定することにより、保存容量を越えることなく、最新の制御情報を保存する事ができる。
【００２７】
また、外部保存装置検出手段６は、外部保存装置５が接続された時、保存装置２に保存されている制御情報を外部保存装置５に移動する事により、既存の制御情報を利用する事ができる。
【００２８】
また、遠隔地の管理者は、インターネット網Ｅを介し、外部位保存装置検出手段６の接続信号の状態を監視用表示手段７で監視する事により、遠隔地の遠隔制御装置Ｆの状態を管理する事ができ、遠隔地に出向くことなく、メンテナンスを容易に実施する事ができる。
【００２９】
また、監視入力手段８は、制御情報の保存期間を入力する事ができ、消去手段４は、入力された保存期間に従って、制御情報を消去する。このことにより、遠隔地の管理者は、保存期間を入力する事により制御情報の管理を容易にする事ができる。
【産業上の利用可能性】
【００３０】
以上の様に、本発明の遠隔制御システムは、遠隔制御装置に監視用表示装置が表示する制御情報の場所を変更することなく、また、システム全体を変更することなく保存容量が変更できるので、照明やヒータや電動機等、空気調和機以外のあらゆる負荷に応用することができる。
【図面の簡単な説明】
【００３１】
【図１】本発明の実施の形態１における遠隔制御システムのブロック図
【図２】従来の遠隔制御システムのブロック図
【符号の説明】
【００３２】
Ａ  遠隔制御システム
Ｂ  エネルギー計測機器
Ｃ  電力消費機器
Ｄ  インターフェースユニット
Ｅ  インターネット網
Ｆ  外部保存装置
Ｇ  遠隔制御装置
Ｈ  監視装置
１  通信手段
２  保存装置
３  保存制御手段
４  消去手段
６  外部保存装置検出手段
７  監視用表示手段
８  監視用入力手段
９  接続通知手段
１０  大容量記憶装置
【図１】
2006162212.tif 000003
【図２】
2006162212.tif 000004